(57)【要約】【課題】  生姜等の農作物の収穫作業の省力化と作業能率の向上が図れるものにするとともに、機体の前方視界が良く、操縦性が良好なものとする。【解決手段】  歩行操縦用の操縦ハンドル６を機体の後部に、駆動回転して機体を前進走行させる走行回転体３，３を機体の左右両側にそれぞれ設け、機体の前進走行中に作物体Ｐの茎葉部ＰＬを引上げ搬送装置１５で挟持して後側上方に搬送し、第一切断装置１６で切断された茎葉部ＰＬの葉先側部分Ｐ２を排出搬送装置で機体左右側方に搬送し、搬送途中で第二切断装置５２で葉先側部分Ｐ２を切断する収穫機で第二切断装置５２は前記第一切断装置１６より機体左右一側に偏倚して配置した。【選択図】  図２
2006109783.tif 000002
【特許請求の範囲】
【請求項１】
歩行操縦用の操縦ハンドル６を機体の後部に設け、駆動回転して機体を前進走行させる走行回転体３，３を機体の左右両側に設け、機体の前進走行中に作物体Ｐの茎葉部ＰＬを挟持して後側上方に搬送し作物体Ｐを引上げる引上げ搬送装置１５を前記左右走行回転体３，３より機体左右方向内側に設け、作物体Ｐの茎葉部ＰＬを切断する第一切断装置１６を前記引上げ搬送装置１５の後部下側に設け、前記引上げ搬送装置１５の後部に移送された茎葉部ＰＬの葉先側部分Ｐ２を機体左右側方に搬送する排出搬送装置５０を設け、該排出搬送装置５０で搬送されている葉先側部分Ｐ２を切断する第二切断装置５２を設け、該第二切断装置５２は前記第一切断装置１６より機体左右一側に偏倚して配置したことを特徴とする農作物収穫機。
【請求項２】
前記排出搬送装置５０の始端部は前記引上げ搬送装置１５の搬送終端部の上方に設け、前記排出搬送装置５０の搬送終端部は左右一側方の走行回転体３の上方又は外側方で、且つ走行回転体３の車軸より前側に位置させて設け、前記第二切断装置５２は前記排出搬送装置５０の搬送終端部の下方で、切断位置Ｈが走行回転体３の前部側上方又は前方側上方に位置するよう設けたことを特徴とする請求項１記載の農作物収穫機。
【発明の詳細な説明】
【技術分野】
【０００１】
本発明は、生姜等の農作物を収穫する農作物収穫機に関するものである。
【背景技術】
【０００２】
生姜などの農作物を収穫する場合、地上にのびる茎葉部をもって上方に引上げて地中にある最終収穫物を引上げる。この引上げ作業は重労働である。例えば、生姜を引上げる場合には、３０ｋｇ程度の引上げ力を要する。この引上げ作業を機械で行うものとして、従来、下記特許文献１に記載されるような、生姜等の農作物を引上げる農作物収穫機がある。
【特許文献１】特開２０００−３３３５２２号公報
【発明の開示】
【発明が解決しようとする課題】
【０００３】
上記特許文献１の農作物収穫機は、圃場に植生する生姜等の農作物を機械的に引上げ処理するもので収穫作業の省力化が図れるものであり、また、引上げ処理とともに収穫後に不要となる葉先側茎葉部の切断処理が行え、しかも、引上げ処理されて畝上に放出された作物体が切断処理された茎葉部に覆われて見えなくなることがなく、引上げ処理後の作物体の回収作業も容易に行えて、作業能率の向上が図れるものである。
【０００４】
しかし、上記の農作物収穫機は、掻き込み装置と切断装置と茎葉放出手段を、引上げ搬送装置の挟持搬送始端部の上側に配置しているので、茎葉切断処理と茎葉放出処理を行う部分が機体前部上方に突出する状態となっている。このため、機体の前方視界が悪く、操縦性が良くないものとなっていた。
【０００５】
そこで、本発明は、生姜等の農作物の収穫作業の省力化と作業能率の向上が図れるものにするとともに、機体の前方視界が良く、操縦性が良好なものとすることを課題とする。
【課題を解決するための手段】
【０００６】
本発明は、上記課題を解決するために、以下の技術的手段を講じたものである。
即ち、請求項１記載の発明は、歩行操縦用の操縦ハンドル６を機体の後部に設け、駆動回転して機体を前進走行させる走行回転体３，３を機体の左右両側に設け、機体の前進走行中に作物体Ｐの茎葉部ＰＬを挟持して後側上方に搬送し作物体Ｐを引上げる引上げ搬送装置１５を前記左右走行回転体３，３より機体左右方向内側に設け、作物体Ｐの茎葉部ＰＬを切断する第一切断装置１６を前記引上げ搬送装置１５の後部下側に設け、前記引上げ搬送装置１５の後部に移送された茎葉部ＰＬの葉先側部分Ｐ２を機体左右側方に搬送する排出搬送装置５０を設け、該排出搬送装置５０で搬送されている葉先側部分Ｐ２を切断する第二切断装置５２を設け、該第二切断装置５２は前記第一切断装置１６より機体左右一側に偏倚して配置したことを特徴とする農作物収穫機としたものである。
【０００７】
請求項２記載の発明は、前記排出搬送装置５０の始端部は前記引上げ搬送装置１５の搬送終端部の上方に設け、前記排出搬送装置５０の搬送終端部は左右一側方の走行回転体３の上方又は外側方で、且つ走行回転体３の車軸より前側に位置させて設け、前記第二切断装置５２は前記排出搬送装置５０の搬送終端部の下方で、切断位置Ｈが走行回転体３の前部側上方又は前方側上方に位置するよう設けたことを特徴とする請求項１記載の農作物収穫機としたものである。
【０００８】
従って、この農作物収穫機は、左右の走行回転体３，３の駆動回転により前進走行する。圃場内に機体を移動させたら、作物体Ｐが植生する畝Ｕの左右両側方個所（畝両側の谷部）を左右の走行回転体３，３が通過するように機体を位置させ、機体が作物体Ｐが列状に植生する畝Ｕを跨ぐような状態として機体を前進させる。作業者は、既作業側に位置する走行回転体３の後方個所に立って移動する機体に追従して歩行移動する。機体の進行方向を変更するなどの操縦操作は、機体と共に歩行移動しながら機体の後部に設けた操縦ハンドル６をもって行う。そして、機体の前進走行中に、左右走行回転体３，３より機体左右方向内側に設けた引上げ搬送装置１５が作物体Ｐの茎葉部ＰＬを挟持して後側上方に搬送し地中にある作物体Ｐの最終収穫物Ｅを引上げる。また、引上げ搬送装置１５の後部下側に設けた第一切断装置１６が引上げ搬送装置１５の挟持個所より下側の茎葉部ＰＬを切断する。第一切断装置１６が茎葉部ＰＬを切断すると、引上げ搬送装置１５による作物体Ｐの上方への引上げ作用は解放され、切断個所より下側の根本側部分Ｐ１は畝Ｕ上に放出される。一方、茎葉部ＰＬの切断個所より上側の葉先側部分Ｐ２は、引上げ搬送装置１５によってその搬送終端部まで搬送され、更に排出搬送装置５０に引き継がれ、既作業側となる機体の一側に搬送され、第二切断装置５２で切断され、引上げ処理されて畝Ｕ上に放出された作物体Ｐの根本側部分Ｐ１から左右側方にずれた個所の圃場に切断処理された葉先側部分Ｐ２が排出される。
【発明の効果】
【０００９】
請求項１記載の発明は、上記構成としたものなので、圃場に植生する生姜等の作物体Ｐを機械的に引上げ処理するもので収穫作業の省力化が図れるものであり、また、引上げ処理とともに収穫後に不要となる葉先側の茎葉部の切断処理が行え、しかも、引上げ処理されて畝Ｕ上に放出された作物体Ｐの根本側部分Ｐ１が切断処理された葉先側部分Ｐ２の茎葉部に覆われて見えなくなることがなく、引上げ処理後の作物体Ｐの根本側部分Ｐ１の回収作業も容易に行えて、作業能率の向上が図れるものである。また、第二切断装置５２を第一切断装置１６より機体左右一側側に偏倚して配置することで機体の前方視界も良く、機体の操縦性が良いものである。
【００１０】
請求項２記載の発明は、上記構成としたものなので、請求項１記載の発明の効果を奏するとともに、第二切断装置５２で切断された茎葉部Ｐ２を走行回転体３で踏みつけていくようになり、走行回転体３の後方で排出搬送装置５０の搬送終端部の後方に位置する作業者の歩行を容易にし、又、収穫後の茎葉の鋤き込みをよりし易くすることができる。
【発明を実施するための最良の形態】
【００１１】
発明を実施するための最良の形態の一つとして、最終収穫物Ｅが地中にある生姜の作物体Ｐを引上げる農作物収穫機を、図示するとともに以下に詳細に説明する。
【実施例１】
【００１２】
圃場の畝Ｕに列状に植生する生姜の引上げ作業をする農作物収穫機を、以下に詳細に説明する。
この農作物収穫機は、図に示すように、走行装置１と、作物体Ｐの引上げ作業を行う作業部Ｗとを設けたもので、走行装置１は機体を機体前方となる進行方向Ｄに向って前進走行させ、その走行中に作業部Ｗが作物体Ｐの引上げ作業を行っていく。これにより、この農作物収穫機は、機体進行方向Ｄにそって列状に並ぶ作物体Ｐを機械的に且つ連続的に引抜いていくことになる。
【００１３】
走行装置１は、左右両側に、走行回転体、即ち、自由回転する前輪２，２と駆動回転する後輪３，３を備え、後側に、エンジン４と、該エンジン４の動力を受けて後輪３，３と作業部Ｗに動力を変速伝動する変速伝動機構を内装したミッションケース５と、歩行操縦用の操縦ハンドル６を備えた歩行操縦型で四輪構成の走行装置で、これにより機体が自走するよう構成している。左右の前輪２，２及び後輪３，３は、作業時に、圃場に形成された畝Ｕを跨いで畝両側の谷部分を走行する。後輪３，３は、機体後部に配置されたエンジン４から動力が伝動されて駆動回転する。具体的には、エンジン４の動力が、エンジン４の前側に配置されエンジン４に連結するミッションケース５内の変速伝動機構に伝動し、該変速伝動機構を経てミッションケース５の左右両側部に装着した車輪伝動ケース７，７内の伝動機構に伝動し、該車輪伝動ケース７，７の下部の左右方向外側方に突出する後輪車軸８，８に伝動して該車軸８，８に取り付けている前記後輪３，３が駆動回転する構成としている。
【００１４】
また、機体の操縦部として歩行型の操縦ハンドル６をその左右の把持部９，９が機体後端上側に位置するように機体後部に設けている。操縦ハンドル６の把持部９，９から前側に延びる左右のハンドルフレーム１０，１０は下方に屈曲してミッションケース５の左右両側部に固着している。また、操縦ハンドル６の近傍には、操縦者の握り操作により操作されるサイドクラッチレバー１１，１１を左右に設けていて、これにより左右の後輪３，３への伝動を個々に遮断するサイドクラッチを操作することができて機体の旋回が容易に行える。更に、後輪３，３への伝動と作業部Ｗへの伝動を遮断する主クラッチを操作する主クラッチ操作レバー１２と、ミッションケース５内の走行伝動部に設けた走行変速装置を、低速前進伝動状態、高速前進伝動状態、後進伝動状態、前後進中立状態に切り替え操作する変速レバー１３も操縦ハンドル６の近傍に配置している。
【００１５】
なお、上記走行装置１は、左右の走行回転体を左右の前輪２，２と左右の後輪３，３で構成しているが、クローラ式走行装置で構成しても良い。
次に、作業部Ｗについて説明する。
【００１６】
作業部Ｗには、作物体Ｐの茎葉部ＰＬを挟持して引上げ搬送する左右一対の引上げ搬送ベルト１４，１４を緩やかに後上がり傾斜した姿勢に設けた引上げ搬送装置１５と、作物体Ｐの茎葉部ＰＬを切断して根元側部分Ｐ１と葉先側部分Ｐ２とに分離する第一切断装置１６を設けている。また、引上げ搬送装置１５は、機体平面視で左右の走行回転体２，２；３，３の間に配置するとともに、機体側面視で機体前部側から機体前後中間部付近にかけて後上がり傾斜姿勢で配置している。第一切断装置１６は、引上げ搬送装置１５の後部下側に配置している。更に、第一切断装置１６により切断されて根本側部分Ｐ１から切り離され引上げ搬送装置１５の後端部とエンジン４とミッションケース５を覆うカバー３３との間に空間部Ｍを形成する。そして、空間部Ｍの下方には、ミッションケース５の前部から機体前方へ後上がり姿勢で延びる左右のフレーム１９，１９を配置し、該左右のフレーム１９，１９とミッションケース５の下方に、前記第一切断装置１６により切断されて地面に落下した根本側部分Ｐ１を機体後方に通過可能とする空間部Ｓを有するように構成している。
【００１７】
また、引き上げ搬送装置１５の後部上方から走行回転体３，３に向かって葉先側部分Ｐ２を搬送する排出搬送装置５０を設けている。
更に具体的な構成を説明する。ミッションケース５の前部に、左右の作業部伝動ケース１８，１８と、前方に前下がり傾斜で延びる左右２本のフレーム１９，１９の後端部を固着している。そして、引上げ搬送装置１５は、左右一対の上側の駆動プーリー２０，２０と左右一対の下側の従動プーリー２１，２１、左右の引上げ搬送ベルト１４，１４の内側から支持する複数のローラー２２，２２…を左右に設け、これら左右のプーリー及びローラの周りに、それぞれ引上げ搬送装置１５の搬送体となる引上げ搬送ベルト１４，１４を巻き掛け、左右の引上げ搬送ベルト１４，１４の外周面は機体の左右中央部において互いに接当する状態となるようにしている。そして、ミッションケース５内の動力が伝動フレーム１８，１８内の伝動手段を経て、駆動プーリー２０，２０の駆動側回転軸２３，２３に伝動して、左右の引上げ搬送ベルト１４，１４がその左右中央部側で互いに接当する作物体挟持箇所において機体後方側に移動するように周回駆動される構成としている。前記駆動プーリー２０，２０は、前記左右のフレーム１９，１９の左右間に配置し前記第一作業部伝動ケース１８，１８の下部に固着した第二作業部伝動ケース２４，２４から上方に突出させて支持した駆動側回転軸２３，２３に一体回転するように取付け、前記従動プーリー２１，２１は、前記フレーム１９，１９の前端部に固着した取付け部材から上方に突出させて回転自在に支持した従動側回転軸２５，２５に一体回転するように取付け、前記複数のローラー２２，２２…は、前記駆動側回転軸２３，２３と従動側回転軸２５，２５とにわたって装着された支持部材２６，２６に取付けた複数の支持軸に回転自在に取付けている。支持部材２６，２６は、引上げ搬送ベルト１４，１４の上側に配置しているので、引上げ搬送ベルト１４，１４で挟持搬送される作物体Ｐの茎葉部ＰＬに接触しにくくなっている。このため、作物体Ｐが生姜である場合に、引上げ搬送装置１５が茎葉部ＰＬを挟持搬送しているとき左右横方向に広がるように生育する土中の生姜を割ってしまうことが生じにくくなる。すなわち、地中の生姜が左右に広がって生育していて複数本の茎葉部ＰＬが左右に幅広く並んで生育しているとき、引上げ搬送装置１５は左右に林立する複数の茎葉部ＰＬの中間部付近を左右中央側一箇所に集めて挟持することになるが、このとき、複数のローラー２２，２２…を取り付ける支持部材を引上げ搬送ベルト１４，１４の下側に配置していて、複数のローラー２２，２２…を取り付ける支持部材の端部に左右両端側の茎葉部ＰＬが当たると、左右に広がった生姜の左右両端部を左右内側に引っ張る状態となって、これにより左右に広がった生姜を大きく湾曲させて割ってしまうことがある。しかしながら、本例では、複数のローラー２２，２２…を取り付ける支持部材２６，２６を引上げ搬送ベルト１４，１４の上側に配置しているので、このような問題を回避できる。
【００１８】
引上げ搬送装置１５の挟持始端箇所Ａは、左右の引上げ搬送ベルト１４，１４が左右中央側前部でベルト外周面を互いに接触させ始める個所となり、機体の前進走行中に、この挟持始端部に作物体Ｐの茎葉部ＰＬが入り込んでくると、左右の引上げ搬送ベルト１４，１４が作物体Ｐの茎葉部ＰＬを挟んで後側斜め上方に搬送する。引上げ搬送ベルト１４，１４の機体後方水平方向の移動速度は、作業時の機体前進速度（走行変速装置ＶＣを低速前進伝動状態としたときの速度）と略同じ大きさの速度になるように設定しているので、機体が前進走行していても、引上げ搬送装置１５に挟持搬送される作物体Ｐは畝Ｕに対して前後に倒れず略垂直姿勢のままで上方に引上げ作用を受けることになる。引上げ搬送装置１５の挟持終端箇所は、引上げ搬送装置１５の後端部にあって左右の引上げ搬送ベルト１４，１４が左右中央側後部でベルト外周面が互いに離れ始める個所となり、左右の引上げ搬送ベルト１４，１４が挟持搬送した作物体Ｐの茎葉部ＰＬがこの箇所から排出される。なお、引上げ搬送ベルト１４，１４の機体後方水平方向の移動速度を、作業時の機体前進速度（走行変速装置ＶＣを低速前進伝動状態としたときの速度）よりも１０〜２０％速い速度に設定すると、地中で互いに繋がった状態にある生姜の塊群を機体前進方向前側から引上げるように作用することになり、引上げ時に生姜の塊群が割れるのを生じにくくすることができる。
【００１９】
引上げ搬送ベルト１４，１４の左右一方側を他方側に対して離れる方向に移動可能に構成している。具体的には、左右一方側の引上げ搬送ベルト１４を駆動プーリ２０の回転軸２３を軸に支持部材２６の前側を左右方向外側に回動可能に設けている。作業時は引上げ搬送ベルト１４，１４が互いに接当状態となる位置で固定する固定手段を設け、該固定手段の固定を解除することで左右方向外側への回動が可能となる。これにより、引上げ搬送ベルト１４，１４の間に過大な量の茎葉部ＰＬが入り込んで過負荷状態となってエンジン４が停止してしまったときなどに、引上げ搬送ベルト１４，１４の間に詰まった茎葉部ＰＬを容易に取り除くことができる。ところで、図中の１５ａは、引上げ搬送装置１５の上側を覆うカバーである。
【００２０】
左右の前輪２，２は、上下調節可能に設けている。左右の前輪２，２を下方に位置調節すると、引上げ搬送装置１５の前下がり傾斜が大きくなって、作物体引上げ高さＧが増大し、左右の前輪２，２を上方に位置調節すると、引上げ搬送装置１５の前下がり傾斜が小さくなって、作物体引上げ高さＧが小さくなる。従って、左右の前輪２，２の上下調節機構によって引上げ搬送装置１５の作物体引上げ高さＧを設定調節可能となっている。具体的には、左右の前輪２，２は、前記フレーム１９，１９の前端部左右両側部に取り付けた前輪支持軸２７，２７の左右両端部の前輪支持アーム取付け部２８，２８に、上下に延びる前輪支持アーム２９，２９を装着し、その下端部に前輪車軸３０，３０を設け、これに左右の前輪２，２を回転自在に取り付けている。左右の前輪２，２の上下調節機構は、前輪支持アーム取付け部２８，２８に対する前輪支持アーム２９，２９の取付け高さを調節可能とすることで構成している。図例では、取付け穴と取付けピンで構成しているが、他の構成によって実現してもよい。
【００２１】
第一切断装置１６は、左右一対の円盤状カッターを左右中央部で一部上下に重なるようにして引上げ搬送装置１５の後部下側に設けた構成としている。第一切断装置１６の左右の円盤状カッターは、ミッションケース５内からの動力を第一作業部伝動ケース１８及び第二作業部伝動ケース２４，２４内の伝動手段を介して円盤状カッターの回転軸３１，３１に伝動して駆動回転している。左右の引上げ搬送ベルト１４，１４によって挟持搬送される作物体Ｐの茎葉部ＰＬは、その挟持搬送終端個所Ｃまで搬送される手前でその挟持搬送通路を遮るように配置された駆動回転する左右の円盤状カッターで切断作用を受けて切断される。左右の円盤状カッターの前側外周が交差する個所に作物体Ｐの茎葉部ＰＬが搬送されるように設定しているので、ここから切断が開始される。そして、引上げ搬送装置１５の挟持始端箇所Ａから第一切断装置１６が茎葉部ＰＬを切断する時点の引上げ搬送装置１５の挟持箇所Ｂまでの作物体引上げ高さＧを、引上げ搬送装置１５が作用する前で地中に生育していた作物体Ｐの最終収穫物Ｅの最大深さｄより小さくなるように設定している。具体的には、作物体引上げ高さＧを２〜６ｃｍに設定する。なお、第一切断装置１６を左右のフレーム１９，１９より下側に位置するように配置することもできる。このようにすると、第一切断装置１６であるカッターの交換がフレーム１９，１９に妨げられず容易に行え、また、切断された後の根本側部分Ｐ１がフレーム１９，１９に引っかかって引きずって行くようなことが生じにくくなり、一層適確な作業が行える。
【００２２】
従って、この農作物収穫機は、歩行操縦型の走行装置１によって機体を前進走行させ、引上げ搬送装置１５によって作物体Ｐの茎葉部ＰＬを挟持して引上げ搬送する。このとき土中にある作物体Ｐの最終収穫物Ｅも引上げられ、土中に張った根は引きちぎられる。そして、最終収穫物Ｅの底部が地表面より上方に上昇する前に第一切断装置１６によって茎葉部ＰＬが切断される。このため、最終収穫物Ｅはその上側に土等が被さった状態のままとなる。第一切断装置１６により切断された後の作物体Ｐの根本側部分Ｐ１は、左右のフレーム１９，１９及びミッションケース５の下方に形成された空間部Ｓを通って機体後方に通過していく。このような作業を行った後、圃場に残された作物体Ｐの根本側部分Ｐ１は、作業者によって圃場から引き抜かれて最終収穫物Ｅが回収されるが、前記作業によって一度引上げられているので、軽い力で容易且つ迅速に取り上げることができ、また、完全に引き抜かれずに最終収穫物Ｅの上側に土等が被さった状態のままで残されているので、乾燥等による品質低下が生じにくい。一方、第一切断装置１６によって切断されて根本側部分Ｐ１から切り離された葉先側部分Ｐ２は、引上げ搬送装置１５の後端部から排出され、排出搬送装置５０に引き継がれる。
【００２３】
排出搬送装置５０は葉先側部分Ｐ２を挟持して機体左右一側に向かって搬送する一対の排出搬送ベルト５１を備えており、排出搬送ベルト５１の搬送始端部は引き上げ搬送ベルト１４の挟持搬送終端箇所Ｃの上方に位置しており、排出搬送ベルト５１の搬送終端部は走行回転体３の上方で、かつ車軸８の前側に位置している。排出搬送ベルト５１の搬送終端部の下方には一対の円盤カッターで形成される第二切断装置５２を設け、その切断位置Ｈは走行回転体３の前部側上方に位置している。
【００２４】
排出搬送ベルト５１は機体前後方向になるよう設けており、機体前側の排出搬送ベルト５１ａと機体後側の排出搬送ベルト５１ｂの挟持搬送する部分は空間部Ｍの上方を通過することで、葉先側部分Ｐ２の下端部側が機体側に引っかかること無く搬送できる構成としている。
【００２５】
引き上げ搬送ベルト１４の駆動側回転軸２３を搬送始端側のプーリ５５に連結し、第二切断装置５２は排出搬送ベルト５１の排出終端部側のプーリ５３の軸５４に連結することで、排出搬送ベルト５１及び第二切断装置５２を回転駆動する構成としている。
【００２６】
搬送始端側プーリ５５と搬送終端側プーリ５３とはプレート５６で連結する構成とし、プレート５６を機体側に取り付けることで排出搬送ベルト５１及び第二切断装置５２を支持する構成としている。
【００２７】
排出搬送ベルト５１に引き継がれた葉先側部分Ｐ２は、挟持された状態で空間部Ｍを通過し、搬送終端部で第二切断装置５２で切断され、排出される。切断され排出された葉先側部分Ｐ２は落下して走行回転体３に踏みつけられていく。
【００２８】
本実施例では第二切断装置５２の切断位置Ｈと排出搬送ベルト５１の搬送終端位置を略同じ位置、すなわち、走行回転体３の前部側上方に位置する構成としているが、走行回転体３より機体左右外側に位置する構成としても良い。この構成場合、第二切断装置５２で切断される葉先側部分Ｐ２の上部側を走行回転体３の外側に排出し、切断される葉先側部分Ｐ２の下部側を回転走行体３で踏みつける場所に排出する構成とすることで、より広い範囲に葉先側部分Ｐ２を排出することが可能になり、より鋤き込みをし易くすることができる。
【００２９】
また、排出搬送ベルト５１の搬送終端側は図示はしないがベルト間の間隔を広げることができる構成としている。
機体前側の排出搬送ベルト５１ａは、排出搬送ベルト５１の挟持始端位置Ｑよりも機体前側に設けるプーリ５８に巻回する構成としている。これにより機体後側の排出搬送ベルト５１ｂより内側を周回するベルト長さを長くして、機体後側の排出搬送ベルト５１ｂと同じ長さにすることで、ベルトを共用化してコストダウンが図れる。また、機体前側の排出搬送ベルト５１ａの挟持始端位置Ｑよりも前側に張り出した部分は対向して設ける案内棒６０と共に機体平面視でＶ字型を形成しており、引き上げ搬送ベルト１４で挟持されている茎葉部ＰＬの葉先側部分Ｐ２が垂れ下がっている場合に支持して挟持始端位置Ｑに案内することができる。
【００３０】
従って、この農作物収穫機は、左右の走行回転体３，３の駆動回転により前進走行する。圃場内に機体を移動させたら、作物体Ｐが植生する畝Ｕの左右両側方個所（畝両側の谷部）を左右の走行回転体３，３が通過するように機体を位置させ、機体が作物体Ｐが列状に植生する畝Ｕを跨ぐような状態として機体を前進させる。作業者は、走行回転体３の後方個所に立って移動する機体に追従して歩行移動する。機体の進行方向を変更するなどの操縦操作は、機体と共に歩行移動しながら機体の後部に設けた操縦ハンドル６をもって行う。そして、機体の前進走行中に、左右走行回転体３，３より機体左右方向内側に設けた引上げ搬送装置１５が作物体Ｐの茎葉部ＰＬを挟持して後側上方に搬送し地中にある作物体Ｐの最終収穫物Ｅを引上げる。また、引上げ搬送装置１５の後部下側に設けた第一切断装置１６が引上げ搬送装置１５の挟持個所より下側の茎葉部ＰＬを切断する。第一切断装置１６が茎葉部ＰＬを切断すると、引上げ搬送装置１５による作物体Ｐの上方への引上げ作用は解放され、切断個所より下側部分の作物体Ｐ１は畝Ｕ上に放出される。一方、茎葉部ＰＬの切断個所より上側部分の葉先側部分Ｐ２は、引上げ搬送装置１５によってその搬送終端部まで搬送され、排出搬送装置５０の排出搬送ベルト５１に引き継がれ、機体左右一側に向かって搬送され、搬送終端部で第二切断装置５２で切断され、引上げ処理されて畝Ｕ上に放出された作物体Ｐ１から左右側方にずれた個所の圃場に落下して走行回転体３で踏みつけられていく。よって、この農作物収穫機は、圃場に植生する生姜等の作物体Ｐを機械的に引上げ処理するもので収穫作業の省力化が図れるものであり、また、引上げ処理とともに収穫後に不要となる葉先側の茎葉部Ｐ２の切断処理が行え、しかも、引上げ処理されて畝Ｕ上に放出された作物体Ｐ１が切断処理された葉先側部分Ｐ２に覆われて見えなくなることがなく、引上げ処理後の作物体Ｐ１の回収作業も容易に行えて、作業能率の向上が図れるものである。また、機体の前方視界も良く、機体の操縦性が良いものである。
【００３１】
また、この農作物収穫機は、機体後部にエンジン４を配置し、該エンジン４の前側にミッションケース５を配置し、該ミッションケース５の前部に機体前方へ後上がり姿勢で延びる左右のフレーム１９，１９を固着し、該フレーム１９，１９の上側に前記引上げ搬送装置１５を配置し、前記ミッションケース５の左右両側部に走行回転体３，３を駆動する動力を伝動する伝動部材を内装しミッションケース５の底部より下側に延設される伝動ケース７，７を介して左右の後輪３，３を装着した構成としている。これにより、畝Ｕを跨いで走行する機体の左右のフレーム１９，１９とミッションケース５の下方に、第一切断装置１６により切断され畝Ｕに残される根本側部分Ｐ１を機体後方に通過可能とする空間部Ｓを機体底部に充分に確保することができる。従って、機体がコンパクトに構成されるものでありながら、畝Ｕ上に着地した根本側部分Ｐ１を、大きく倒したり引きずったりせずに機体後方に通過させられ、しかも、切断された葉先側部分Ｐ２が根本側部分Ｐ１の上に落下することも防止される。
【００３２】
本例の農作物収穫機は、引上げ搬送装置１５の挟持始端部に作物体Ｐの茎葉部ＰＬを掻集める茎葉掻集め装置３４を引上げ搬送装置１５の前側に設けている。この茎葉掻集め装置３４は、左右のフレーム１９，１９の各前端部に固着した左右の支持部材３５，３５にそれぞれ取付けた左右の支持フレーム３６，３６の前部と後部とに、それぞれ前側プーリー３７，３７と後側プーリー３８，３８とを軸着し、左右ぞれぞれの前側プーリー３７，３７と後側プーリー３８，３８とに、外周側に突出するラグ３９ａ…を多数有する掻集めベルト３９，３９を巻き掛け、更に、後側プーリー３８，３８の回転軸は、引上げ搬送装置１５の従動プーリー２１，２１と一体回転する回転軸２５，２５の上部に自在継ぎ手を介して連結して構成している。この茎葉掻集め装置３４は、左右の掻集めベルト３９，３９の前側が、左右外側に広がり且つ下位に位置するように傾斜した姿勢で配置している。これにより、掻集めベルト３９，３９は、左右に広がった作物体Ｐの茎葉部ＰＬを引上げ搬送装置１５の挟持始端部に向けて葉を持上げるようにしながら掻集めるように作用する。なお、畝Ｕの大きさや作物体Ｐの茎葉部の左右の広がりの程度に対応して、茎葉掻集め装置３４の左右の掻集めベルト３９，３９の各前部の左右位置及び上下高さを調節可能に設けている。更に、左右の掻集めベルト３９，３９の各前部の左右位置及び上下高さの調節に対応して左右傾斜角度も調節することで、茎葉部の掻き集め作用力が効果的に発揮されるようにも調節できる。また、掻集めベルト３９，３９の周回速度は、その機体後方の分速度が機体の前進速度と略同じ大きさから若干早い速度になるように設定して、掻集めベルト３９，３９が作物体Ｐを前方に押し倒さないようにしている。
【００３３】
また、茎葉掻き集め装置３４を駆動する後側プーリー３８，３８は、引上げ搬送装置１５の従動プーリー２１，２１の上側に設けているので、作物体Ｐが生姜である場合に、引上げ搬送装置１５が茎葉部ＰＬを挟持するとき横側にのびて生育する生姜を割ってしまうことが生じにくくなる。すなわち、地中の生姜が左右に広がって生育していて複数本の茎葉部ＰＬが左右に幅広く並んで生育しているとき、引上げ搬送装置１５は左右に林立する複数の茎葉部ＰＬの中間部付近を左右中央側一箇所に集めて挟持することになるが、このとき、茎葉掻き集め装置を駆動する後側プーリーが引上げ搬送装置１５の従動プーリー２１，２１の下側に設けられていて該後側プーリーが大きく下方に突出していると、その突出部に左右両端側の茎葉部ＰＬが当たると左右に広がった生姜の左右両端部を左右内側に引っ張る状態となって、これにより左右に広がった生姜を大きく湾曲させて割ってしまうことがあり、或いはまた、後側プーリーの下側突出部との当たり箇所を通過して逆に左右両端側の茎葉部ＰＬが大きくたるみ、このため、左右に広がった生姜の左右端側が引上げ搬送装置１５で挟持された茎葉部で引っ張り上げられず、左右中央側箇所だけで引っ張り上げられる状態が生じ、このため左右に広がった生姜が前記とは逆に大きく湾曲して割れてしまうことがある。しかしながら、本例では、茎葉掻き集め装置３４を駆動する後側プーリー３８，３８は、引上げ搬送装置１５の従動プーリー２１，２１の上側に設けているので、このような問題を回避できる。
【００３４】
また、茎葉掻き集め装置３４は、その掻き集め作用部（掻集めベルト３９，３９）の前部が走行回転体（前輪）２，２の前方を横切るように左右に広がっている構成としている。これにより、畝Ｕに生えている作物体Ｐの茎葉部が畝Ｕの左右側方の谷部まで左右に大きく広がっている場合でも、適確に引上げ搬送装置１５の挟持始端部Ａに掻き集められ、且つ、左右に広がった作物体Ｐの茎葉部を走行回転体（前輪）２，２を踏みつけて引上げ作業の妨げとならないようにすることができ、適確な引上げ作業が行えるようになる。
【図面の簡単な説明】
【００３５】
【図１】農作物収穫機の側面図。
【図２】農作物収穫機の平面図。
【図３】農作物収穫機の断面正面図。
【符号の説明】
【００３６】
１：走行装置
２，２：前輪（走行回転体）
３，３：後輪（走行回転体）
４：エンジン
５：ミッションケース
６：操縦ハンドル
１４，１４：引上げ搬送ベルト
１５：引上げ搬送装置
１６：第一切断装置
１９，１９：フレーム
５０，排出搬送装置
５２，第二切断装置
Ａ：引上げ搬送装置の挟持始端箇所
Ｂ：切断装置が茎葉部を切断する時点の引上げ搬送装置の挟持箇所
Ｈ：切断位置
Ｓ：空間部
Ｐ：作物体
ＰＬ：作物体の茎葉部
Ｐ１：茎葉部の根本側部分
Ｐ２：茎葉部の葉先側部分
Ｅ：最終収穫物
ｄ：収穫作業前に土中にある最終収穫物の最大深さ
【図１】
2006109783.tif 000003
【図２】
2006109783.tif 000004
【図３】
2006109783.tif 000005